(57)【要約】【課題】通路の開閉状態の調節を容易に簡単に行い得る回転機構及び斯かる回転機構を具備する換気装置を提供すること。【解決手段】換気装置１は、上フレーム２、下フレーム３、横フレーム４及び５により規定された通路としての換気通路６を開閉するように上フレーム２にヒンジ機構７を介してＲ１及びＲ２方向に回転自在に支持された通路開閉部材８と、通路開閉部材８をＲ１及びＲ２方向に回転させる回転機構９と、回転機構９を目隠しする上カバー１０及び下カバー１１とを具備している。【選択図】　　　図１
2004044974.tif 000002
【特許請求の範囲】
【請求項１】
通路を開閉するように回転自在に支持された通路開閉部材を回転させる回転機構であって、一端部で通路開閉部材に回転自在に連結された第一のリンクアームと、この第一のリンクアームの他端部に一端部で回転自在に連結された第二のリンクアームと、この第二のリンクアームの他端部に固着された回転軸と、この回転軸を回転させる回転手段とを具備しており、回転手段の作動による回転軸の回転で第二のリンクアームを回転させて、この第二のリンクアームの回転で第一のリンクアームを介して通路開閉部材を押出し、引き寄せて回転させるようになっており、第一及び第二のリンクアームのうちの少なくとも一方は、そのアーム長を手動により連続的に変えられるようになっている回転機構。
【請求項２】
第一及び第二のリンクアームのうちの少なくとも一方は、互いに螺合した一対の螺合部材を具備している請求項１に記載の回転機構。
【請求項３】
第一のリンクアームは、通路開閉部材に回転自在に連結されたアーム部と、第二のリンクアームに回転自在に連結されたアーム部とを具備しており、一対の螺合部材は両アーム部間に配されている請求項２に記載の回転機構。
【請求項４】
一対の螺合部材のうちの一方の螺合部材は、通路開閉部材に回転自在に連結されたアーム部に固着されており、他方の螺合部材は、第二のリンクアームに回転自在に連結されたアーム部に回転自在に支持されている請求項３に記載の回転機構。
【請求項５】
他方の螺合部材の一端面には、当該他方の螺合部材を回転させる回転工具と係合するための係合凹所、係合突起又は係合面が設けられている請求項４に記載の回転機構。
【請求項６】
第一及び第二のリンクアームのうちの少なくとも一方は、一対の螺合部材の互いの螺合位置を固定する固定部材を具備している請求項２から５のいずれか一項に記載の回転機構。
【請求項７】
回転手段は、電動モータと、この電動モータの出力回転軸の回転を回転軸に伝達する回転伝達手段とを具備しており、回転伝達手段は、電動モータの出力回転軸の回転位置に対する回転軸の相対的な回転位置を離散的に変えることができる粗調節機構を具備している請求項１から６のいずれか一項に記載の回転機構。
【請求項８】
粗調節機構は、電動モータの出力回転軸側に設けられた多数の歯と、この多数の歯の夫々に噛合うように回転軸側に設けられた他の多数の歯とを具備している請求項７に記載の回転機構。
【請求項９】
請求項１から８のいずれか一項に記載の回転機構を具備しており、通路開閉部材でもって開閉される通路が換気通路である換気装置。
【請求項１０】
回転軸を回転自在に支持する支持手段を具備しており、この支持手段は、回転軸において第二のリンクアームの他端部が固着された部位に隣接して当該回転軸を回転自在に支持するように配されている請求項９に記載の換気装置。
【請求項１１】
換気通路に隣接した他の換気通路を開閉するように回転自在に支持された他の通路開閉部材と、一端部で他の通路開閉部材に回転自在に連結された他の第一のリンクアームと、この他の第一のリンクアームの他端部に一端部で回転自在に連結されていると共に、他端部で他の回転軸に固着された他の第二のリンクアームとを更に具備しており、この他の通路開閉部材は、回転手段の作動による他の回転軸の回転で通路開閉部材と同期して他の換気通路を開閉するように押出し、引き寄せられて回転されるようになっており、他の第一及び第二のリンクアームのうちの少なくとも一方は、そのアーム長を手動により連続的に微調節できるようになっている請求項９又は１０に記載の換気装置。
【請求項１２】
回転伝達手段は、電動モータの出力回転軸の回転を他の回転軸にも伝達するようになっていると共に、電動モータの出力回転軸の回転位置に対する他の回転軸の相対的な回転位置を離散的に変えることができる他の粗調節機構を具備している請求項１１に記載の換気装置。
【請求項１３】
回転伝達手段は、電動モータの出力回転軸の回転を両回転軸に連動して伝達する歯車機構を具備しており、歯車機構は、手動でも両回転軸を連動して回転させることができるようになっている請求項１１又は１２に記載の換気装置。
【発明の詳細な説明】
【０００１】
【発明の属する技術分野】
本発明は、建物の窓空間、換気通路等の通路を開閉するために当該通路に回転自在に配される通路開閉部材を回転させる回転機構及び斯かる回転機構を具備すると共に、事業用ビル、事務所ビル、集合住宅等の建物の外壁に設けられて必要に応じて建物内を外部と連通させて建物内を換気する換気装置に関する。
【０００２】
【発明が解決しようとする課題】
最近では、建物を密閉構造とし空調でもって建物内を換気することに代えて、省資源化のために、建物の外壁に開閉部材で開閉される換気通路を設け、必要に応じてこの換気通路を開放して建物内を自然換気することが提案されている。
【０００３】
ところで、建物の大型化、高層化に伴って換気通路は、多数設置されることになって、開閉部材も換気通路の個数に応じて設置されることになるが、斯かる多数の開閉部材は、互いに同様に換気通路の開閉を行うことが好ましい。
【０００４】
しかしながら、部品製作精度のばらつき、取り付け誤差等により、そのままでは多数の開閉部材で互いに同様に換気通路の開閉を行わせることは極めて困難であって、一つの開閉部材による通路閉鎖が完全になされていても、他の開閉部材による通路閉鎖が不完全であったりする。
【０００５】
部品製作精度を上げたり、取り付け誤差をなくしたりして斯かる問題を解決する対策では費用が莫大に掛かってしまう虞がある上に、シール等の経年変化が生じる部品による通路閉鎖の不揃いの問題に対しては、このような対策では直ちに対応できない。
【０００６】
以上の問題は、多数の換気通路を多数の開閉部材で開閉する場合に限って生じるものではなく、建物の窓空間等の通路を窓障子等の開閉部材で開閉する場合であって、当該通路を正確に開閉しようとする場合にも生じ得るのである。
【０００７】
本発明は、前記諸点に鑑みてなされたものであって、その目的とするところは、通路の開閉状態の調節を容易に簡単に行い得る回転機構及び斯かる回転機構を具備する換気装置を提供することにある。
【０００８】
【課題を解決するための手段】
本発明の第一の態様の回転機構は、通路を開閉するように回転自在に支持された通路開閉部材を回転させるようになっており、一端部で通路開閉部材に回転自在に連結された第一のリンクアームと、この第一のリンクアームの他端部に一端部で回転自在に連結された第二のリンクアームと、この第二のリンクアームの他端部に固着された回転軸と、この回転軸を回転させる回転手段とを具備しており、回転手段の作動による回転軸の回転で第二のリンクアームを回転させて、この第二のリンクアームの回転で第一のリンクアームを介して通路開閉部材を押出し、引き寄せて回転させるようになっており、ここで、第一及び第二のリンクアームのうちの少なくとも一方は、そのアーム長を手動により連続的に変えられるようになっている。
【０００９】
斯かる第一の態様の回転機構によれば、第一及び第二のリンクアームのうちの少なくとも一方のアーム長を手動により連続的に変えることができるために、第二のリンクアームの回転で第一のリンクアームを介して押出され、引き寄せられて回転される通路開閉部材の通路閉鎖位置及び通路開放位置を微調節でき、而して、通路の開閉状態の調節を容易に簡単に行い得、部品製作精度を極度に上げたりする必要がない上に、部品取り付け誤差をそれほど気にしなくてもよくなる。
【００１０】
第一及び第二のリンクアームのうちの少なくとも一方は、好ましくは本発明の第二の態様の回転機構のように、互いに螺合した一対の螺合部材を具備しており、この場合、好ましくは本発明の第三の態様の回転機構のように、第一のリンクアームは、通路開閉部材に回転自在に連結されたアーム部と、第二のリンクアームに回転自在に連結されたアーム部とを具備しており、一対の螺合部材は両アーム部間に配されており、また第三の態様の回転機構においては、好ましくは第四の態様の回転機構のように、一対の螺合部材のうちの一方の螺合部材は、通路開閉部材に回転自在に連結されたアーム部に固着されており、他方の螺合部材は、第二のリンクアームに回転自在に連結されたアーム部に回転自在に支持されており、ここで、第五の態様の回転機構のように、他方の螺合部材の一端面には、当該他方の螺合部材を回転させる回転工具と係合するための係合凹所、係合突起又は係合面が設けられているとよい。
【００１１】
回転工具としては、マイナスドライバー、プラスドライバー、ボックスドライバー、ペンチ、スパナ、六角棒スパナ等の工具であってもよいが、その他の特別に製作された工具であってもよい。
【００１２】
上記の第二から第五のいずれかの態様の回転機構において、第一及び第二のリンクアームのうちの少なくとも一方は、本発明の第六の態様の回転機構のように、一対の螺合部材の互いの螺合位置を固定する固定部材を具備しているとよく、斯かる固定部材としてはロックナットを好ましい一つの例として挙げることができる。
【００１３】
更に上記のいずれかの態様の回転機構において、回転手段は、好ましくは本発明の第七の態様の回転機構のように、電動モータと、この電動モータの出力回転軸の回転を回転軸に伝達する回転伝達手段とを具備しており、この場合、回転伝達手段は、電動モータの出力回転軸の回転位置に対する回転軸の相対的な回転位置を離散的に変えることができる粗調節機構を具備しているとよい。
【００１４】
回転機構が斯かる粗調節機構を具備していると、粗調節機構により通路開閉部材の通路閉鎖位置及び通路開放位置を粗調節した後に、アーム長の手動変化で通路開閉部材の通路閉鎖位置及び通路開放位置を微調節でき、而して、アーム長の手動変化を大きく行わなくても、通路開閉部材の通路閉鎖位置及び通路開放位置を所望に設定できる。
【００１５】
粗調節機構は、本発明の第八の態様の換気装置のように、電動モータの出力回転軸側に設けられた多数の歯と、この多数の歯の夫々に噛合うように回転軸側に設けられた他の多数の歯とを具備しているとよい。
【００１６】
本発明による第一の態様の換気装置は、上記のいずれかの態様の回転機構を具備しており、通路開閉部材でもって開閉される通路が換気通路である。
【００１７】
斯かる換気装置において、本発明の第二の態様の換気装置は、回転軸を回転自在に支持する支持手段を具備しており、ここで、この支持手段は、回転軸において第二のリンクアームの他端部が固着された部位に隣接して当該回転軸を回転自在に支持するように配されている。
【００１８】
このように第二のリンクアームの他端部が固着された部位に隣接して回転軸を支持手段により支持することにより、回転軸を長尺にした場合における回転軸の大きな撓みを防止できる。
【００１９】
本発明に係る換気装置は、一つの換気通路に通路開閉部材を設けたものに限定されず、本発明の第三の態様の換気装置のように、換気通路に隣接した他の換気通路を開閉するように回転自在に支持された他の通路開閉部材と、一端部で他の通路開閉部材に回転自在に連結された他の第一のリンクアームと、この他の第一のリンクアームの他端部に一端部で回転自在に連結されていると共に、他端部で他の回転軸に固着された他の第二のリンクアームとを更に具備していてもよく、ここで、この他の通路開閉部材は、回転手段の作動による他の回転軸の回転で通路開閉部材と同期して他の換気通路を開閉するように押出し、引き寄せられて回転されるようになっており、他の第一及び第二のリンクアームのうちの少なくとも一方は、そのアーム長を手動により連続的に微調節できるようになっているとよい。
【００２０】
本発明の第四の態様の換気装置においては、回転伝達手段は、電動モータの出力回転軸の回転を他の回転軸にも伝達するようになっていると共に、電動モータの出力回転軸の回転位置に対する他の回転軸の相対的な回転位置を離散的に変えることができる他の粗調節機構を具備しており、その第四の態様の換気装置においては、回転伝達手段は、電動モータの出力回転軸の回転を両回転軸に連動して伝達する歯車機構を具備しており、歯車機構は、手動でも両回転軸を連動して回転させることができるようになっている。
【００２１】
第四の態様の換気装置のように他の粗調節機構を具備していると、各換気通路の開閉状態の調節を互いに独立して行うことができ、また、歯車機構が手動でも両回転軸を連動して回転させることができるようになっていると、各換気通路の開閉状態の調節結果を容易に確認することができる。
【００２２】
次に本発明を、図に示す好ましい具体例に基づいて更に詳細に説明するが、本発明は、これら具体例に何ら限定されないのである。
【００２３】
【発明の実施の形態】
図１から図５において、本例の換気装置１は、上フレーム２、下フレーム３、横フレーム４及び５により規定された通路としての換気通路６を開閉するように上フレーム２にヒンジ機構７を介してＲ１及びＲ２方向に回転自在に支持された通路開閉部材８と、通路開閉部材８をＲ１及びＲ２方向に回転させる回転機構９と、回転機構９を目隠しする上カバー１０及び下カバー１１とを具備している。
【００２４】
上フレーム２、下フレーム３、横フレーム４及び５からなるフレーム２１は、建物の外壁の開口部に適宜の手段をもって取り付けられており、上カバー１０は、上フレーム２に支持されており、上フレーム２に連結された下カバー１１は、下フレーム３に支持されていると共に、建物外２２に開口した換気通路６を建物内２３に連通する開口２４を有しており、上フレーム２、下フレーム３、横フレーム４及び５の夫々には、弾性及び可撓性を有したシール部材２５が嵌着されている。
【００２５】
中空の通路開閉部材８は、換気通路６を閉鎖している際（図１から図５に示す状態の際）には、シール部材２５を若干撓ませてシール部材２５に接触している。
【００２６】
回転機構９は、一端部３１で通路開閉部材８の一端部３２側に軸３３を介して回転自在に連結されたリンクアーム３４と、リンクアーム３４の他端部３５に一端部３６で軸３７を介して回転自在に連結されたリンクアーム３８と、一端部３９で通路開閉部材８の他端部４０側に軸４１を介して回転自在に連結されたリンクアーム４２と、リンクアーム４２の他端部４３に一端部４４で軸４５を介して回転自在に連結されたリンクアーム４６と、リンクアーム３８の他端部４７及びリンクアーム４６の他端部４８の夫々に固着された回転軸４９と、回転軸４９を回転させる回転手段５０と、回転軸４９を軸心Ｏの周りでＲ４及びＲ５方向に回転自在に支持する支持手段５１及び５２とを具備している。
【００２７】
通路開閉部材８の他端部４０側に配されたリンクアーム４２及び４６は、通路開閉部材８の一端部３２側に配されたリンクアーム３４及び３８と同様に構成されているために、以下、リンクアーム３４及び３８について詳細に説明する。なお、通路開閉部材８が横方向にそれほど長くない場合には、リンクアーム３４及び３８を省いて換気装置１を構成してもよく、この場合には、リンクアーム３４及び３８を通路開閉部材８の横方向の中央部に配してもよい。同様に、支持手段５１及び５２は、互いに同様に構成されているために、以下、支持手段５１について詳細に説明する。
【００２８】
リンクアーム３４は、通路開閉部材８に回転自在に連結されたＬ形金具からなるアーム部６１と、リンクアーム３８に回転自在に連結されたＬ形金具からなるアーム部６２と、両アーム部６１及び６２間に配されていると共に互いに螺合した一対の螺合部材６３及び６４と、一対の螺合部材６３及び６４の互いの螺合位置を固定するように、螺合部材６３に螺着されたロックナットからなる固定部材６０とを具備している。
【００２９】
リンクアーム３４の一端部３１となるアーム部６１は、通路開閉部材８にねじ等により固着されたＬ形金具からなる取り付け具６５に軸３３を介して回転自在に連結されており、こうして、アーム部６１は、通路開閉部材８に回転自在に連結されている。
【００３０】
リンクアーム３４の他端部３５となるアーム部６２は、リンクアーム３８のアーム部６６に軸３７を介して回転自在に連結されている。
【００３１】
ねじ棒からなる螺合部材６３は、通路開閉部材８に回転自在に連結されたアーム部６１に一端で溶接等により固着されており、螺合部材６４は、螺合部材６３が螺合した内周面を有した円筒部６７と、円筒部６７に一体的に形成されていると共に、アーム部６２を回転自在に貫通した軸部６８と、軸部６８のアーム部６２からの抜け出しを防止するように、軸部６８に固着された抜け止めリング６９とを有しており、こうして、螺合部材６４は、リンクアーム３８に回転自在に連結されたアーム部６２に軸心７１を中心としてＲ３方向に回転自在に支持されており、軸部６８の端面には、螺合部材６４をＲ３方向に回転させる回転工具、例えばマイナスドライバーと係合するための係合凹所７０が設けられている。
【００３２】
斯かるリンクアーム３４は、係合凹所７０にマイナスドライバーの先端を係合させて、軸部６８をＲ３方向に回転させて螺合部材６３に対する螺合部材６４の螺合位置を変えることにより、そのアーム長（軸３３の中心から軸３７の中心までの距離）を手動により連続的に変えられるようになっている。
【００３３】
リンクアーム３８は、リンクアーム３８の一端部３６となるアーム部６６と、アーム部６６がねじ等により固着された中間アーム部７５と、中間アーム部７５に一体的に形成されていると共に、リンクアーム３８の他端部４７となる円筒部７６とを具備しており、円筒部７６内に回転軸４９が挿通されて円筒部７６に嵌着されており、円筒部７６は、回転軸４９のＲ４及びＲ５方向の回転と共に同方向に回転されるようになっている。
【００３４】
回転手段５０は、電動モータ８１と、電動モータ８１の出力回転軸の回転を回転軸４９に伝達する回転伝達手段８２とを具備しており、回転伝達手段８２は、電動モータ８１が取り付けられていると共に、電動モータ８１の出力回転軸の回転をスプライン軸８３及び１５１の回転として出力する歯車機構８４と、スプライン軸８３の回転を回転軸４９に伝達すると共に、スプライン軸８３の回転位置に対する回転軸４９の相対的な回転位置を離散的に変えることができ、而して、電動モータ８１の出力回転軸の回転位置に対する回転軸４９の相対的な回転位置を離散的に変えることができる粗調節機構８５と、回転軸４９の一定以上の回転を規制する規制機構８６とを具備している。
【００３５】
歯車機構８４は、基台９１に取り付けられており、基台９１は、ねじ等により上フレーム２及び下フレーム３に取り付けられている。なお、歯車機構８４は、スプライン軸８３及び１５１をハンドルをもって手動で回転させることができる手動回転軸９２を有している。
【００３６】
粗調節機構８５は、特に図６から図１０に詳細に示すように、スプライン軸８３の一端部が嵌合される貫通孔１０１を有した円筒状の本体１０２と、回転軸４９の一端部が嵌合される貫通孔１０３を有すると共に一方の面１０４に多数の歯（セレーション）１０５を有した円筒状の調節部材１０６と、本体１０２と調節部材１０６との間に配されていると共にねじ１０７により本体１０２に固着されており、しかも、調節部材１０６の多数の歯１０５に噛合う多数の歯（セレーション）１０８を一方の面１０９に有した環状の調節部材１１０とを具備しており、調節部材１０６には、三本の長ねじ１１１が挿通する三個の貫通孔１１２が設けられており、貫通孔１１２の夫々は円周方向に円弧状に伸びて長孔となっており、各長ねじ１１１は調節部材１１０を貫通して本体１０２に螺着されている。
【００３７】
このように電動モータ８１の出力回転軸側に設けられた多数の歯１０８と歯１０８の夫々に噛合うように回転軸４９側に設けられた他の多数の歯１０５とを具備している粗調節機構８５は、各長ねじ１１１を緩めて調節部材１１０に対して調節部材１０６を軸心Ｏを中心として回転させて歯１０８に対する歯１０５の噛合わせ位置を変えることにより、スプライン軸８３の回転位置に対する回転軸４９の相対的な回転位置を貫通孔１１２の範囲内で離散的に変えることができる結果、電動モータ８１の出力回転軸の回転位置に対する回転軸４９の相対的な回転位置を離散的に変えることができる。
【００３８】
規制機構８６は、歯車機構８４の外壁に固着されたストッパ部材１１５と、本体１０２に一体的に形成された円弧状の突起１１６とを具備しており、回転軸４９のＲ４方向の回転で突起１１６の端面１１７がストッパ部材１１５に当接することにより、回転軸４９のＲ４方向のそれ以上の回転を阻止し、回転軸４９のＲ５方向の回転で突起１１６の端面１１８がストッパ部材１１５に当接することにより、回転軸４９のＲ５方向のそれ以上の回転を阻止して、回転軸４９の一定以上の回転を規制するようになっている。
【００３９】
回転機構９は、回転手段５０の電動モータ８１の作動による回転伝達手段８２を介する回転軸４９の軸心Ｏの周りでのＲ４及びＲ５方向の回転でリンクアーム３８を回転させて、リンクアーム３８の回転でリンクアーム３４を介して通路開閉部材８を押出し、引き寄せてＲ１及びＲ２方向に回転させるようになっている。
【００４０】
支持手段５１は、回転軸４９を回転自在に支持する軸受部１２１と、軸受部１２１が固着されたＬ形状の支持板１２２と、一方では支持板１２２がねじ等により固着されて、他方ではねじ等により下フレーム３に固着されたブラケット１２３とを具備しており、軸受部１２１は、回転軸４９においてリンクアーム３８の他端部４７が固着された部位に隣接して当該回転軸４９を回転自在に支持するように配されている。
【００４１】
本例の換気装置１は、横フレーム４側において換気通路６に隣接した他の換気通路１３１を開閉するように回転自在に支持された他の通路開閉部材１３２と、一端部１３３で通路開閉部材１３２の一端部１３４側に回転自在に連結されたリンクアーム１３５と、リンクアーム１３５の他端部１３６に一端部１３７で回転自在に連結されていると共に、他端部１３８で他の回転軸１３９に固着されたリンクアーム１４０と、回転軸１３９を回転自在に支持する他の支持手段１４１とを具備している。
【００４２】
換気通路１３１、通路開閉部材１３２、リンクアーム１３５、１４０及び支持手段１４１は、通路開閉部材８、リンクアーム３４、３８及び支持手段５１と同様に構成されているので詳細な説明を省く。通路開閉部材１３２に対しても、通路開閉部材８と同様に、その他端部側にリンクアーム１３５、１４０及び支持手段１４１と同様のリンクアーム及び支持手段が設けられている。
【００４３】
回転軸１３９は、歯車機構８４の他のスプライン軸１５１に他の粗調節機構１５２を介して連結されていると共に、電動モータ８１の出力回転軸の回転で歯車機構８４、スプライン軸１５１及び粗調節機構１５２を介して回転されるようになっており、而して、通路開閉部材１３２は、回転機構９の電動モータ８１の作動による回転軸１３９の回転で通路開閉部材８と同期して換気通路１３１を開閉するようにリンクアーム１３５及び１４０によって押出し、引き寄せられて回転されるようになっている。即ち、本例の回転伝達手段８２の歯車機構８４は、電動モータ８１の出力回転軸の回転を両回転軸４９及び１３９に連動して伝達するようになっていると共に、手動回転軸９２の手動回転でも両回転軸４９及び１３９を連動して回転させることができるようになっている。
【００４４】
粗調節機構８５と同様に構成された粗調節機構１５２は、特に図１１から図１３に詳細に示すように、スプライン軸１５１の一端部が嵌合される貫通孔１６１を有した円筒状の本体１６２と、回転軸１３９の一端部が嵌合される貫通孔１６３を有すると共に一方の面１６４に多数の歯（セレーション）を有した円筒状の調節部材１６６と、本体１６２と調節部材１６６との間に配されていると共にねじ１６７により本体１６２に固着されており、しかも、調節部材１６６の多数の歯に噛合う多数の歯（セレーション）を一方の面１６９に有した環状の調節部材１７０とを具備しており、調節部材１６６には、三本の長ねじ１７１が挿通する三個の貫通孔１７２が設けられており、貫通孔１７２の夫々は円周方向に円弧状に伸びて長孔となっており、各長ねじ１７１は調節部材１７０を貫通して本体１６２に螺着されている。
【００４５】
粗調節機構１５２は、粗調節機構８５と同様に、各長ねじ１７１を緩めて調節部材１７０に対して調節部材１６６を軸心Ｏを中心として回転させて調節部材１７０の一方の面１６９の歯に対する調節部材１６６の一方の面１６４の歯の噛合わせ位置を変えることにより、スプライン軸１５１の回転位置に対する回転軸１３９の相対的な回転位置を貫通孔１７２の範囲内で離散的に変えることができる結果、電動モータ８１の出力回転軸の回転位置に対する回転軸１３９の相対的な回転位置を回転軸４９と独立して離散的に変えることができる。
【００４６】
なお、回転軸１３９の一定以上の回転を規制するために、規制機構８６と同様な規制機構を、歯車機構８４の外壁に固着されていると共にストッパ部材１１５と同様のストッパ部材１７５を利用して設けてもよい。
【００４７】
また換気装置１は、横フレーム５側において換気通路６に隣接した更に他の換気通路を開閉するように構成されていてもよい。
【００４８】
以上の換気装置１は、図１に示すように、通路開閉部材８がシール部材２５を若干撓ませてシール部材２５に接触していると換気通路６を閉鎖することになり、電動モータ８１の作動による回転軸４９のＲ４方向の回転でリンクアーム３８が同方向に回転されてリンクアーム３４が回転されつつ前方に押出されると、図１４に示すように、シール部材２５への通路開閉部材８の接触が解除されて通路開閉部材８がヒンジ機構７を中心としてＲ１方向に回転されて換気通路６を開放することになる。換気通路６の開放により建物内２３から建物外２２への空気流Ａで建物内２３が換気されることになる。
【００４９】
換気装置１では、電動モータ８１の出力回転軸の回転位置と通路開閉部材８の回転位置とが合わない場合には、まず、粗調節機構８５において、電動モータ８１の出力回転軸の回転位置に対する回転軸４９の相対的な回転位置を粗く調節し、その後、係合凹所７０にマイナスドライバーの先端を係合させて、軸部６８をＲ３方向に回転させて螺合部材６３に対する螺合部材６４の螺合位置を変えてリンクアーム３４のアーム長を調節し、アーム長の調節後、ロックナットからなる固定部材６０により螺合部材６３に対する螺合部材６４の螺合位置が変化しないようにロックする。通路開閉部材１３２に関しても同様にして電動モータ８１の出力回転軸の回転位置とその回転位置とを合わせて、通路開閉部材８と連動して通路開閉部材１３２により換気通路１３１も正確に開閉されるようにする。
【００５０】
斯かる換気装置１によれば、上述の通りリンクアーム３４のアーム長を手動により連続的に変えることができるために、リンクアーム３８の回転でリンクアーム３４を介して押出され、引き寄せられて回転される通路開閉部材８の通路閉鎖位置及び通路開放位置を微調節でき、而して、換気通路６の開閉状態の調節を容易に簡単に行い得、部品製作精度を極度に上げたりする必要がない上に、部品取り付け誤差をそれほど気にしなくてもよくなる。
【００５１】
また換気装置１によれば、粗調節機構８５により通路開閉部材８の通路閉鎖位置及び通路開放位置を粗調節した後に、リンクアーム３４のアーム長の手動変化で通路開閉部材８の通路閉鎖位置及び通路開放位置を微調節でき、而して、リンクアーム３４のアーム長の手動変化を大きく行わなくても、通路開閉部材８の通路閉鎖位置及び通路開放位置を所望に設定できる上に、リンクアーム３８の他端部４７が固着された部位に隣接して回転軸４９を支持手段５１により支持しているために、回転軸４９を長尺にした場合における回転軸４９の大きな撓みを防止できる。
【００５２】
【発明の効果】
本発明によれば、換気通路の開閉状態の調節を容易に簡単に行い得る換気装置を提供することができる。
【図面の簡単な説明】
【図１】本発明の実施の形態の好ましい一例であって、図２に示すＩ−Ｉ線矢視断面図である。
【図２】図１に示す例の平面説明図である。
【図３】図１に示す例の平面説明図である。
【図４】図１に示す例の平面説明図である。
【図５】図２に示すＶ−Ｖ線矢視断面図である。
【図６】図１に示す例の粗調節機構の断面図である。
【図７】図６に示す粗調節機構の左側面図である。
【図８】図６に示す粗調節機構の右側面図である。
【図９】図６に示す粗調節機構の説明図である。
【図１０】図６に示す粗調節機構の説明図である。
【図１１】図１に示す例の他の粗調節機構の断面図である。
【図１２】図１１に示す粗調節機構の左側面図である。
【図１３】図１１に示す粗調節機構の右側面図である。
【図１４】図１に示す例の動作説明図である。
【符号の説明】
１　換気装置
６　換気通路
８　通路開閉部材
９　回転機構
３４、３８　リンクアーム
４９　回転軸
５０　回転手段
【図１】
2004044974.tif 000003
【図２】
2004044974.tif 000004
【図３】
2004044974.tif 000005
【図４】
2004044974.tif 000006
【図５】
2004044974.tif 000007
【図６】
2004044974.tif 000008
【図７】
2004044974.tif 000009
【図８】
2004044974.tif 000010
【図９】
2004044974.tif 000011
【図１０】
2004044974.tif 000012
【図１１】
2004044974.tif 000013
【図１２】
2004044974.tif 000014
【図１３】
2004044974.tif 000015
【図１４】
2004044974.tif 000016